(57)【要約】【課題】  比較的シンプルな構成で製造コストを安価に抑えることができながらも、植物や培養土等の基盤材が流失や剥離脱落することを防ぐとともに、耐荷重性に優れ、作業者が法面植栽用土留め資材上に乗って作業したとしても、変形してしまうことがない法面植栽用土留め資材を提供する。【解決手段】  法面４を緑化施工するに際し用いられる植物５設置用の土留め資材において、このものは植物５設置用の土留め板２と、この土留め板２を法面４に固定するアンカー３とから成る。そして土留め板２は、側面視Ｌ字状を成し、植物５が設置される保持部２０と、この保持部２０における法面４とは反対側に位置する前端辺２３に立ち上げられるストッパ部２５とを有して成る。また保持部２０の底面には、二つ以上のアンカー支持パイプ２８が設けられ、これにアンカー３が差し込まれて、土留め板２を法面４に固定していることを特徴とする。【選択図】      図１
0003123566.tif 000002
【実用新案登録請求の範囲】
【請求項１】
法面を緑化施工するに際し用いられる植物設置用の土留め資材において、このものは、植物設置用の土留め板と、この土留め板を法面に固定するアンカーとから成り、前記土留め板は、植物が設置される保持部と、この保持部における法面とは反対側に位置する前端辺に立ち上げられるストッパ部とを有し、これによって側面視Ｌ字状の形状とするとともに、前記保持部の底面には、二つ以上のアンカー支持パイプが設けられ、このアンカー支持パイプに対しそれぞれアンカーが差し込まれて、土留め板とアンカーとの連結を行いながら、土留め板を法面に固定していることを特徴とする法面植栽用土留め資材。
【請求項２】
前記保持部及びストッパ部は、金属網体で構成されたものであることを特徴とする請求項１記載の法面植栽用土留め資材。
【請求項３】
前記土留め板は、出発素材は、平板状の金属網体であり、このものが側面視９０°に屈曲形成されて保持部とストッパ部とが形成されていることを特徴とする請求項２記載の法面植栽用土留め資材。
【考案の詳細な説明】
【技術分野】
【０００１】
本考案は法面を緑化施工するに際し用いられる法面植栽用土留め資材に関するものであって、特に上方に積載された客土の流失防止機能や強度性を向上させるための改良に係るものである。
【背景技術】
【０００２】
従来より道路建設や宅地造成の際に形成される切土面や盛土面の法面に対し、これを単にモルタル等で覆うのではなく、景観向上のため、樹木等を植栽する緑化工事を施すことが行われている。そしてこのような緑化工法において、樹木を植栽するに際し、特許文献１に記載されるような平板状の部材と、これを法面に固定するためのアンカーとから成る法面植栽用土留め資材が適用されている。
【０００３】
しかしこのような法面植栽用土留め資材には、次のような問題点がある。
まず上述した法面植栽用土留め資材は、平板状の部材であるため、大雨時には、法面植栽用土留め資材上の植物や培養土等の基盤材が流失しやすく、また乾燥時には、植物や培養土等の基盤材が剥離脱落しやすいという問題点があった。
また緑化作業を行うにあたって、実際の作業現場は、急傾斜地であるため危険を伴う。このため作業者は安全索を付けて作業を行うものの、足元は不安定であることは否めず、打設した法面植栽用土留め資材１′を足場として利用し、この上に乗って作業する状況も見られた。その結果、図８に示すように法面植栽用土留め資材１′が、荷重Ｗに耐えられずに撓んでしまうようなこともあった。
【特許文献１】実用新案登録第２５６７６４５号
【考案の開示】
【考案が解決しようとする課題】
【０００４】
本考案はこのような背景からなされたものであって、比較的シンプルな構成で製造コストを安価に抑えることができながらも、植物や培養土等の基盤材が流失や剥離脱落することを防ぐとともに、耐荷重性に優れ、作業者が法面植栽用土留め資材上に乗って作業したとしても変形してしまうことがない法面植栽用土留め資材を実現しようとするものである。
【課題を解決するための手段】
【０００５】
すなわち請求項１記載の法面植栽用土留め資材は、法面を緑化施工するに際し用いられる植物設置用の土留め資材において、このものは、植物設置用の土留め板と、この土留め板を法面に固定するアンカーとから成り、前記土留め板は、植物が設置される保持部と、この保持部における法面とは反対側に位置する前端辺に立ち上げられるストッパ部とを有し、これによって側面視Ｌ字状の形状とするとともに、前記保持部の底面には、二つ以上のアンカー支持パイプが設けられ、このアンカー支持パイプに対しそれぞれアンカーが差し込まれて、土留め板とアンカーとの連結を行いながら、土留め板を法面に固定していることを特徴として成るものである。
【０００６】
更に請求項２記載の法面植栽用土留め資材は、前記請求項１記載の要件に加え、前記保持部及びストッパ部は、金属網体で構成されたものであることを特徴として成るものである。
【０００７】
更に請求項３記載の法面植栽用土留め資材は、前記請求項２記載の要件に加え、前記土留め板は、出発素材は、平板状の金属網体であり、このものが側面視９０°に屈曲形成されて保持部とストッパ部とが形成されていることを特徴として成るものである。
【考案の効果】
【０００８】
本考案の法面植栽用土留め資材は、上述した手段により以下のような効果を奏するものである。
すなわち請求項１記載の法面植栽用土留め資材によれば、打設された法面植栽用土留め資材の上に作業者が乗って、緑化作業を行う場合があるが、ストッパ部を有しているため、高い耐荷重が得られ、法面植栽用土留め資材が下方に撓むように変形することが防がれる。更にストッパ部により、大雨時における土壌の流失や、乾燥時の土壌の剥離脱落が防止される。また側面Ｌ字状で、シンプルな構成のため、製造コストも安価に抑えることができるとともに、植物の根が、保持部とストッパ部に絡むとともに法面植栽用土留め資材周辺の土壌にも根が張りやすい。また二本以上のアンカーが保持部の底面に設けられる構造のため、このことからも耐荷重性に優れ、設置安定性にも優れる。
【０００９】
更に請求項２記載の法面植栽用土留め資材によれば、保持部と、ストッパ部とは、金属網体で構成されたものであるため、植物の根が絡みやすい。
【００１０】
また請求項３記載の法面植栽用土留め資材によれば、出発素材は、平板状の金属網体であり、このものが側面視９０°に屈曲形成されて保持部とストッパ部とが形成され、製造されるものであるため、製造コストを低廉に抑えられる。
【考案を実施するための最良の形態】
【００１１】
本考案の最良の形態は、具体的には以下の実施例に述べる通りである。
【実施例１】
【００１２】
以下本考案を図示の実施の形態に基づき説明する。図中符号１で示すものが本考案に係る法面植栽用土留め資材であり、このものは法面４の緑化用の植物５を強固に植栽するための補助材である。この法面植栽用土留め資材１上には培養土等が充填された植生袋６が設置され、これに植物５が植え込まれる。なお法面４には、一面に軟性のラス網８が張られ、全面に客土７が盛られている。
【００１３】
以下、前記法面植栽用土留め資材１について詳細に説明する。法面植栽用土留め資材１は、植物５を設置するための土留め板２と、この土留め板２を法面４に固定するアンカー３とから成る。
【００１４】
前記土留め板２は、側面視Ｌ字状を成すものであって、植物５が設置される保持部２０と、この保持部２０の前端辺２３（法面４とは、反対側に位置する辺）に立ち上げられるストッパ部２５とを有して成る。
保持部２０は、一例として矩形状をしており、平面視コの字状の枠体２１に対し、金属性の網体２２が張設されて構成されている。またこの保持部２０の底面には、二本のアンカー支持パイプ２８が間隔を開けて左右に前後方向に向けて設けられている。なお保持部２０の形状は、平面視矩形状の他、図５（ａ）に示すように法面４の形状に合わせて平面視台形のもの、あるいは図５（ｂ）に示すように平面視略半円形状のもの、更には図５（ｃ）の斜視図に示すように中央が彎曲した中窪み状のものを用いるなど、種々の形状のもので実施することが可能である。
【００１５】
一方前記ストッパ部２５も、矩形状をしており、前記保持部２０の前端辺２３の両端に枠体２６が立ち上げられ、これら枠体２６と、前記保持部２０の前端辺２３との間に網体２７が張設されている。
そして前記アンカー支持パイプ２８に対しそれぞれアンカー３が差し込まれて、土留め板２とアンカー３との連結を行いながら、土留め板２を法面４に固定するものである。
【００１６】
本考案の法面植栽用土留め資材１の一例は以上のような具体的形態を有するものであって、以下この設置態様と作動態様について説明する。
まず法面４の緑化作業は以下のように行われる。
〔Ｉ〕設置態様
（１）ラス網の張設
まず緑化を行うモルタル等の法面４に対し、複数個のスペーサ９を設置し、その上からラス網８を法面４全体に張設する。
【００１７】
（２）法面植栽用土留め資材の設置
次にアンカー支持パイプ２８に対しそれぞれアンカー３を差し込み、このアンカー３の先端を法面４に打設する。本実施例では、図２に示されるように保持部２０がほぼ水平状態となるように設置するものである。なお法面植栽用土留め資材１は、例えば図４に示すように千鳥状に設置するものであり、これによって隣合う法面植栽用土留め資材１の間に雨水の通り道ができてこの箇所の客土７が流失してしまうことを防止する効果を有するものである。
【００１８】
（３）植物の設置
次に土留め板２の保持部２０に対し植物５が植えられた植生袋６を載置し、適宜紐材、その他の部材によって土留め板２に固定する。植生袋６は、通水性を有するとともに、植物５の根５ａが通過できるような合成樹脂、麻、木綿等で形成された網状のものを用いるもので、中には培養土等が充填されている。ちなみに、植生袋６を設置した後、この植生袋６に植物５を植えるような手順を採ってもよい。なお植生袋６を載置するにあたって、保持部２０に対し水持ちの良い保水性マットを敷設してその上に植生袋６を載置するようにしてもよい。
【００１９】
（４）客土の吹き付け
植物５の設置が終了した後、法面４全体に客土７を吹き付けていく。もちろん植物５の設置前に、ある程度客土７を吹き付けておき、植物５設置後に再度客土７を吹き付けるような態様を採ることも可能である。
【００２０】
〔II〕法面植栽用土留め資材の作用態様
本考案の法面植栽用土留め資材１の作用について説明すると、まず法面植栽用土留め資材１の設置時や、植物５の設置時において、アンカー３を打設して法面４に設置した法面植栽用土留め資材１の上に作業者が乗って足場として作業を行う場合があるが、保持部２０の底面に複数本のアンカー３を備える構造を採ることに加え、ストッパ部２５を有しているため、耐荷重性に非常に優れ、法面植栽用土留め資材１が下方に撓んでしまうようなことが防がれる。
【００２１】
更にストッパ部２５により、大雨時における土壌の流失や、乾燥時の土壌の剥離脱落が防止される。また側面Ｌ字状で、シンプルな構成のため、製造コストも安価に抑えることができるとともに、植物５の根５ａが、網状に構成される保持部２０とストッパ部２５に絡むとともに法面植栽用土留め資材１周辺の客土７にも根５ａが張りやすい。
【実施例２】
【００２２】
図６に示すものは、本発明の法面植栽用土留め資材の第２の実施例であり、このものは、土留め板２を、出発素材を平板状の金属網体２９とし、このものを側面視９０°に屈曲形成して保持部とストッパ部とを形成している。すなわちこのものは、図７（ａ）に示すように、四辺に枠体２９ａが取り付けられた網体２９を、側面視９０°に屈曲し、保持部２０とストッパ部２５とを形成し、その後、図７（ｂ）に示すように保持部２０の底面にアンカー支持パイプ２８を取り付けている。なおこのアンカー支持パイプ２８は、網体２９の屈曲前に取り付けるようにしても構わない。
以上のように法面植栽用土留め資材１を構成した場合、製造コストを低廉に抑えることができる。なお網体２９の折り曲げは、現場にて行うようにしてもよく、この場合、網体２９の適宜箇所を屈曲して、保持部２０とストッパ部２５との面積比率を変更するようにしてもよい。
【図面の簡単な説明】
【００２３】
【図１】実施例１の法面植栽用土留め資材の使用状態を示す斜視図である。
【図２】実施例１の法面植栽用土留め資材を示す斜め下方からの斜視図である。
【図３】実施例１の法面植栽用土留め資材を使用した施工例を示す縦断側面図である。
【図４】実施例１の法面植栽用土留め資材の配置例を示す正面図である。
【図５】保持部の形状を異ならせた種々の態様を示す平面図（ａ）（ｂ）と斜視図（ｃ）である。
【図６】実施例２の法面植栽用土留め資材を示す斜め下方からの斜視図である。
【図７】同上、成形の手順を示す斜視図（ａ）と側面図（ｂ）である。
【図８】従来の法面植栽用土留め資材の問題点を示す正面図である。
【符号の説明】
【００２４】
１      法面植栽用土留め資材
１′  （従来の）法面植栽用土留め資材
２      土留め板
３      アンカー
４      法面
５      植物
５ａ    根
６      植生袋
７      客土
８      ラス網
９      スペーサ
２０    保持部
２１    枠体
２２    網体
２３    前端辺
２５    ストッパ部
２６    枠体
２７    網体
２８    アンカー支持パイプ
２９    網体
２９ａ  枠体
Ｗ      荷重
【図１】
0003123566.tif 000003
【図２】
0003123566.tif 000004
【図３】
0003123566.tif 000005
【図４】
0003123566.tif 000006
【図５】
0003123566.tif 000007
【図６】
0003123566.tif 000008
【図７】
0003123566.tif 000009
【図８】
0003123566.tif 000010